(57)【特許請求の範囲】
【請求項１】
ケース内に支持され、洗濯水が貯水される外槽と、
前記外槽の下側でケース外部に連結され、洗濯水を排水する排水ホースと、
前記外槽内に回転可能に設けられ、投入された衣類を洗濯するか、乾燥する内槽と、
前記外槽の下側に設けられ、前記内槽を回転駆動させる駆動モータと、前記外槽の一側から他側に連結され、前記内槽内に投入された衣類を乾燥させる空気が循環される空気循環ダクトと、
前記空気循環ダクト中間に設けられ、空気を強制循環させる送風機と、
前記空気循環ダクトに設けられ、循環空気を加熱する加熱手段と、
前記排水ホースの中間部に設けられ、前記外層から排出される洗濯水を貯水する冷却水タンクと、
前記空気循環ダクトに循環される空気を除湿する除湿手段とを含み、
前記除湿手段は、冷凍サイクル回路を構成する圧縮機、凝縮器、毛細管、及び蒸発器からなり、
前記凝縮器は前記冷却水タンク内に設けられたことを特徴とする洗濯乾燥機。
【請求項２】
前記内槽は前記ケースの垂直方向に配置された回転軸を中心に回転可能に配置され、前記ケース、外槽及び内槽は上面が皆開放され、
前記外槽の開放された上部には内部を密閉させることができるように密閉手段が設けられたことを特徴とする請求項１記載の洗濯乾燥機。
【請求項３】
前記空気循環ダクトは前記排水ホースから分岐され、
前記排水ホースと空気循環ダクトが分岐される地点には開閉及び流路方向を切り換えるバルブ手段が設けられたことを特徴とする請求項１記載の洗濯乾燥機。
【請求項４】
前記除湿手段は、空気流動方向へ前記ヒーターの後方に位置されたことを特徴とする請求項１記載の洗濯乾燥機。
【請求項５】
前記空気循環ダクトには、空気流動方向に前記送風機、前記除湿手段、前記ヒーターの順に設けられたことを特徴とする請求項１記載の洗濯乾燥機。
【請求項６】
前記空気循環ダクトの下段部には、除湿された水を排出できるように排水管が連結されたことを特徴とする請求項１記載の洗濯乾燥機。
【請求項７】
前記蒸発器は前記空気循環ダクト内に設けられたことを特徴とする請求項１記載の洗濯乾燥機。
【請求項８】
ケース内に具備され、内部で衣類乾燥が行なわれるドラムと、前記ケース内に固定され、前記ドラムの両側に結合されるとともに、前記ドラムを回転できるように支持する上部カバー及び下部カバーと、
前記下部カバーに設けられ、前記ドラムを回転させる駆動モータと、
前記下部カバーから上部カバーに連結され、前記ドラム内に投入された衣類を乾燥させる空気が循環する空気循環ダクトと、
前記空気循環ダクトの中間に設けられ、空気を強制循環させる送風機と、
前記空気循環ダクトに設けられ、循環空気を加熱する加熱手段と、
前記空気循環ダクトに循環される空気を除湿する除湿手段とを含み、
前記除湿手段は、冷凍サイクル回路を構成する圧縮機、凝縮器、毛細管、及び蒸発器からなり、
前記凝縮器は、水冷方式で冷却されるように、冷却水を貯水する冷却水タンク内に設けられたことを特徴とする衣類乾燥機。
【請求項９】
前記ドラムは前記ケースの垂直方向へ配置された回転軸を中心に回転可能に配置され、前記ケース、上部カバー及びドラムは上面が皆開放され、前記上部カバーの開放された部分には内部を密閉させることができるように密閉手段が設けられたことを特徴とする請求項８記載の衣類乾燥機。
【請求項１０】
前記除湿手段は、空気流動方向へ前記ヒーターの前のほうに位置されたことを特徴とする請求項８記載の衣類乾燥機。
【請求項１１】
前記空気循環ダクトには、空気流動方向で送風機、除湿手段、ヒーターの順に設けられたことを特徴とする請求項８記載の衣類乾燥機。
【請求項１２】
前記空気循環ダクトの下段部には、除湿された水を排出できるように排水管が連結されたことを特徴とする請求項８記載の衣類乾燥機。
【請求項１３】
前記蒸発器は前記空気循環ダクト内に設けられたことを特徴とする請求項８記載の衣類乾燥機。
【発明の詳細な説明】
【０００１】
【発明の属する技術分野】
本発明は、洗濯乾燥機及び衣類乾燥機に係るもので、詳しくは、衣類乾燥のために循環される空気中に含まれた水分を除去することが出来る洗濯乾燥機及び衣類乾燥機に関するものである。
【０００２】
【従来の技術】
一般的に、衣類乾燥機は洗濯機等により洗濯及び／または脱水が完了された洗濯物に加熱空気を供給して乾燥させる機器である。
このような衣類乾燥機は、ケースの内部に回転可能に配置され、内部に衣類が受容される乾燥ドラムと、前記乾燥ドラムを回転駆動させる駆動モータと、前記乾燥ドラムに加熱空気を供給して循環させる空気循環ダクトと、前記空気循環ダクト内に設置されるヒーター及び送風機とで構成される。
最近は、洗濯機に乾燥機の機能を付加した衣類洗濯乾燥機が考案されている。
【０００３】
このような従来技術の衣類洗濯乾燥機を図４と図５を参照して説明すれば、次の通りである。
図４は従来技術の衣類洗濯乾燥機を示した縦断面図で、図５は図４の洗濯乾燥機において空気循環過程を示した概略的な図面である。
従来技術の衣類洗濯乾燥機は、図４を参考にすれば、内部に受け入れ空間が形成されたケース１１０と、前記ケース１１０の内部に設けられて内部に洗濯水が貯水される外槽１１１と、前記外槽１１１の内部に回転可能に設けられて洗濯、脱水及び乾燥する衣類が受容される内槽１２１と、前記内槽１２１の内側底面に回転可能に配置されて洗濯水流を形成するパルセータ１２３とで構成される。
【０００４】
そして、前記衣類洗濯乾燥機は、前記外槽１１１の底面に設けられて前記内槽１２１及びパルセータ１２３とを回転駆動させる駆動モータ１１３と、前記駆動モータ１１３と内槽１２１及びパルセータ１２３間に設けられ前記駆動モータ１１３の回転力を伝達するとともにクラッチ作用をする動力伝達装置１１４と、前記外槽１１１の底面に連結されて洗濯水を排出する排水管１１５と、前記排水管１１５に設けられ排水管１１５を開閉できるように排水バルブ１１７とがさらに含んで構成される。
【０００５】
このような洗濯機の構成に乾燥機能を付加出来るように前記衣類洗濯乾燥機は、さらに、前記ケース１１０内に下側から上側へ長く連結され、前記内槽１２１の内部に加熱空気を供給するエアーホース１２５と、前記エアーホース１２５の内部に設けられ、空気を加熱するヒーター１２７と、前記エアーホース１２５の内部に設けられ、空気を強制流動させる送風機１２９とがさらに含まれる。
上記のように構成された従来技術の衣類洗濯乾燥機の作動を見ると、次の通りである。
【０００６】
衣類を洗濯するか、脱水する時は、前記外槽１１１に洗濯水を満たした後、前記パルセータ１２３または内槽１２１を回転させながら洗濯及び脱水を行なう。このように洗濯及び脱水を行なった衣類を乾燥させるためには、ヒーター１２７及び送風機１２９を作動させる。このとき、図５に図示されたように、前記ヒーター１２７で加熱された空気がエアーホース１２５を通じて内槽１２１の内部に供給される。
このように前記内槽１２１の内部に供給された加熱空気は脱水された衣類等と接触しながら濡れた衣類を乾燥させた後、前記排水管１１５を通じてケース１１０外へ排出される。
【０００７】
【発明が解決しようとする課題】
然るに、前記したような従来技術の衣類洗濯乾燥機においては、外槽１１１の周辺空気を別途の除湿過程無しにヒーター１２７で加熱した後、内槽１２１の内部に供給するため、十分な衣類乾燥性能を確保するためには相対的に大きな容量のヒーター１２７またはバーナー（未図示）のような加熱手段を必要とするだけでなく、周辺空気の湿度が高い場合には乾燥時間が延びるため、使用消費電力またはガス消費量がより一層増大される等、エネルギーの消費が多くなるという不都合な点があった。
【０００８】
このような問題点ゆえに、一部では衣類と接触された後吐出される比較的高温多湿な空気を外部から流入する相対的に低い温度の空気と混合することによって、空気中に含まれた水分の一部を除湿し、除湿された空気を加熱した後、内槽の内部に供給するようにした衣類乾燥機が考案されている。
しかし、このような従来の衣類乾燥機は、除湿作用が不十分なので乾燥時間を十分に短縮することが出来ない限界がある。
【０００９】
本発明は、このような従来の課題に鑑みてなされたもので、本発明の目的は冷凍サイクルを用いて空気を除湿した状態で加熱し、衣類を乾燥させることができるように構成することによって、衣類乾燥時間が短縮でき、エネルギー消費を減らすことができる洗濯乾燥機及び衣類乾燥機を提供することにある。
【００１０】
【課題を解決するための手段】
このような目的を達成するため、本発明に係る洗濯乾燥機においては、ケース内に支持され、洗濯水が貯水される外槽と、前記外槽の下側でケース外部に連結され、洗濯水を排水する排水ホースと、前記外槽内に回転可能に設けられ、投入された衣類を洗濯するか、乾燥する内槽と、前記外槽の下側に設けられ、前記内槽を回転駆動させる駆動モータと、前記外槽の一側から他側に連結され、前記内槽内に投入された衣類を乾燥させる空気が循環される空気循環ダクトと、前記空気循環ダクト中間に設けられ、空気を強制循環させる送風機と、前記空気循環ダクトに設けられ、循環空気を加熱する加熱手段と、前記排水ホースの中間部に設けられ、前記外層から排出される洗濯水を貯水する冷却水タンクと、前記空気循環ダクトに循環される空気を除湿する除湿手段とを含み、前記除湿手段は、冷凍サイクル回路を構成する圧縮機、凝縮器、毛細管、及び蒸発器からなり、前記凝縮器は前記冷却水タンク内に設けられたことを特徴とする。
【００１１】
前記内槽は前記ケースの垂直方向に配置された回転軸を中心に回転可能に配置され、前記ケース、外槽及び内槽は上面が皆開放される。前記外槽の開放された上部には内部を密閉させることができるように密閉手段が設けられる。
前記空気循環ダクトは前記排水ホースから分岐され、前記排水ホースと空気循環ダクトが分岐される地点には開閉及び流路方向を切り換えるバルブ手段が設けられる。前記バルブ手段は洗濯水が排出しないように排水ホース及び空気循環ダクトを遮断する第１動作、洗濯水を排出できるように空気循環ダクト側は閉め、排水ホース側は開放する第２動作と、空気を循環させることが出来るように排水ホース側は閉め、空気循環ダクト側を開放する第３動作、を行なうようになる。
【００１２】
前記除湿手段は、空気流動方向へ前記ヒーターの後方に位置される。
前記空気循環ダクトには、空気流動方向に前記送風機、前記除湿手段、前記ヒーターの順に設けられる。
前記空気循環ダクトの下段部には、除湿された水を排出できるように排水管が連結される。
前記除湿手段は、冷凍サイクル回路を構成する圧縮機、凝縮器、毛細管、蒸発器からなり、前記蒸発器は前記空気循環ダクト内に設けられる。さらに、前記凝縮器を水冷方式で冷却させることが出来るように水冷装置が含まれる。
【００１３】
前記水冷装置は、前記排水ホースの中間部に設けられ、前記外槽から排出される洗濯水を貯水して、前記凝縮器を冷却させる冷却水タンクからなる。前記蒸発器は凝縮器を連結する冷媒ライン中の一部が前記冷却水タンクを通過しながら冷却できるようになる。
前記冷却水タンクは一定量の水位を維持出来るようにする水位調節手段が設けられる。前記水位調節手段は前記冷却水タンク下流側の排水ホースを開閉する開閉バルブと、前記冷却水タンクの上部に連結されたオーバーフロー管からなる。
【００１４】
前記した目的を実現するための本発明の衣類乾燥機においては、ケース内に具備され、内部で衣類乾燥が行なわれるドラムと、前記ケース内に固定され、前記ドラムの両側に結合されるとともに、前記ドラムを回転できるように支持する上部カバー及び下部カバーと、前記下部カバーに設けられ、前記ドラムを回転させる駆動モータと、前記下部カバーから上部カバーに連結され、前記ドラム内に投入された衣類を乾燥させる空気が循環する空気循環ダクトと、前記空気循環ダクトの中間に設けられ、空気を強制循環させる送風機と、前記空気循環ダクトに設けられ、循環空気を加熱する加熱手段と、冷凍サイクルを用いて前記空気循環ダクトに循環される空気を除湿する除湿手段とを含み、前記除湿手段は、冷凍サイクル回路を構成する圧縮機、凝縮器、毛細管、及び蒸発器からなり、前記凝縮器は、水冷方式で冷却されるように、冷却水を貯水する冷却水タンク内に設けられたことを特徴とする。
【００１５】
前記ドラムは前記ケースの垂直方向へ配置された回転軸を中心に回転可能に配置され、前記ケース、上部カバー及びドラムは上面が皆開放され、前記上部カバーの開放された部分には内部を密閉させることができるように密閉手段が設けられる。
前記除湿手段は、空気流動方向へ前記ヒーターの前のほうに位置され、前記空気循環ダクトには、空気流動方向で送風機、除湿手段、ヒーターの順に設けられる。
前記空気循環ダクトの下段部には、除湿された水を排出できるように排水管が連結される。
【００１６】
前記除湿手段は、冷凍サイクル回路を構成する圧縮機、凝縮器、毛細管、蒸発器からなり、前記蒸発器は前記空気循環ダクト内に設けられる。
前記凝縮器を水冷方式で冷却できるように水冷装置がさらに含まれ、前記水冷装置は一定量の冷却水を貯水できるように冷却水タンクが設けられる。
前記冷却水タンクには、給水ホースと排水ホースが其々連結され、前記排水ホースには開閉バルブが設けられ、前記空気循環ダクトの下段部には除湿された水を前記冷却水タンクへ排出出来るように配水管が連結される。
前記冷却水タンクは一定量の水位を維持出来るようにする水位調節手段が設けられる。
【００１７】
【発明の実施の形態】
以下、本発明に係る洗濯乾燥機の衣類乾燥機の実施の形態に対し、図面を用いて説明する。
また、本発明の第１実施の形態は、洗濯と乾燥機能を同時に行なう洗濯乾燥機に適用した実施の形態であり、本発明の第２実施形態は、衣類乾燥機能にのみを有する乾燥機に適用した実施の形態である。
まず、本発明に係る第１実施の形態を図１と図２を参照して説明する。
図１は本発明の第１実施の形態に係る衣類洗濯乾燥機を図示した縦断面図で、図２は図１の衣類洗濯乾燥機の構成を概略的に図示した図面である。
【００１８】
図１を参考にすれば、ケース１１の上部面は洗濯するか、乾燥する衣類を入れるか、また取り出すことができるように開放され、前記開放された部分にはケース１１を開閉させることができるようにドア１３が設けられる。
前記ケース１１の内部には、支持ロッド１２によって支持され、上部が開放された桶状で形成され、内部に洗濯水が満たされる外槽１５が設置され、開放された上部には外槽１５の内部を密閉させることができるように密閉ドア１６が設けられる。
前記外槽１５の内部には、上部が開放された桶状で形成され、洗濯するか、乾燥する洗濯物が投入されて洗浄が行なわれる内槽２１が回転可能に設けられる。
【００１９】
前記内槽２１の内部には、衣類を洗濯するとき、洗濯水流を形成できるようにパルセータ２３が前記内槽２１に対して相手回転可能に設置される。
前記外槽１５の底面には、前記内槽２１及びパルセータ２３を回転駆動させることができるように駆動モータ１７が設けられ、前記外槽１５の底面の一側には洗濯水を排出できるように排水ホース１９が前記ケース１１外へ長く連結される。
前記排水ホース１１の中間には外部に排出される洗濯水を貯水することができるように冷却水タンク３９が設けられ、前記冷却水タンク３９の下流側の排水ホース１９ｃには開閉バルブ４０が設けられる。
【００２０】
前記ケース１１の内部には、内槽２１の内部に加熱空気を循環させながら供給できるように前記外槽１５の下側から上側へ長く連結された空気循環ダクト２５が設けられる。
前記空気循環ダクト２５は、吸入部２５ａが前記排水ホース１９に連結され、排出部２５ｂが前記外槽１５の上段部に連結され、前記内槽２１内で衣類を乾燥させた空気を再循環させることができるようになされる。
【００２１】
前記排水ホース１９において前記空気循環ダクト２５が分岐される地点には流路を開閉するか、方向を転換できるように方向制御バルブ２９が備えられる。
前記方向制御バルブ２９は三方弁構造からなり、その機能は衣類洗濯及び濯ぎ作動時に洗濯水が排出されないように上流側の排水ホース１９ａを遮断し、洗濯水の排水作動時には排水ホース１９を通じて外槽１５内の洗濯水を排出できるように排水ホース１９のみを開放し、衣類乾燥作動時には外槽１５から排出される空気を空気循環ダクト２５へ再循環させることができるように空気循環ダクト２５のみを開放し得る。
【００２２】
前記空気循環ダクト２５の吸入部２５ａ側には空気の流動を促進させることができるように送風機３０が備えられ、排出部２５ｂ側には空気を加熱できるようにヒーター３１が備えられる。
特に、前記空気循環ダクト２５内には空気の流れ方向に対し、ヒーター３１の前方から衣類を乾燥させた空気に含まれた湿気を除去できるように蒸発器３３が設けられる。前記空気循環ダクト２５の下段部には前記蒸発器３３から落下される凝結水を排出することができるように排水口を有するたトレー２６が設置され、前記トレー２６からケースの外部へは排水管２７が連結される。
【００２３】
前記ケース１１の内部には、前記蒸発器３３を含んで冷凍サイクル回路を構成できるように圧縮機３５、凝縮器３７、毛細管３４が設けられる。
ここで、前記圧縮機３５は前記蒸発器３３から吸入された冷媒を圧縮し、前記凝縮器３７は圧縮機３５で圧縮された冷媒を凝縮し、前記毛細管３４は凝縮器３７と蒸発器３３間で凝縮された冷媒を低圧に変化させる機能を有する。
特に、前記凝縮器３７は水冷方式で冷却するが、前記排水ホース１９を通じて排出される洗濯水によって冷却できるように前記冷却水タンク３９内に設けられる。
また、前記蒸発器３３からの冷媒が圧縮機３５に吸入される冷媒ライン３６中の一部は冷却水によって冷却できるように前記冷却水タンク３９の内部を通過するようになる。
【００２４】
一方、前記冷却水タンク３９には洗濯水を適正量のみ貯水し、排水させることができるように水位調節手段が設けられるが、水位調節手段はセンサーを用いる方式またはオーバーフロー管を用いる方式が使われる。
前記センサーを用いる方式は、前記冷却水タンク３９の上部に水位感知センサー（未図示）を設けて一定量以上貯水されると、制御部（未図示）に入力された信号によって前記開閉バルブ４０が開くようにし、一定量以下貯水されると、前記開閉バルブ４０が閉まるように調節できるように構成される。
【００２５】
前記オーバーフロー管３９ａを用いる方式は、図１のように、前記冷却水タンク３９の上部にオーバーフロー管３９ａを連結して前記開閉バルブ４０が閉められた状態で洗濯水が一定量以上貯水されると、溢れて外部に排出できるような構造からなる。
一方、前記排水管２７は、前記冷却水タンク３９に連結するように構成することもできる。
上記のように構成された本発明の第１実施の形態に係る洗濯乾燥機の動作を説明すれば次の通りである。
【００２６】
衣類を洗濯するためには、方向制御バルブ２９により上流側排水ホース１９ａを閉めた状態で駆動モータ１７を作動してパルセータ２３及び内槽２１を回転させながら洗濯行程と濯ぎ行程を実施する。
このように洗濯及び濯ぎ行程を実施した後、排水及び脱水作動を行なうためには、前記方向制御バルブ２９を作動して空気循環ダクト２５側は閉め、排水ホース１９側は開放して洗濯水を排水する。
この時、前記冷却水タンク３９には、オーバーフロー管３９ａまたは水位感知センサーによって凝縮器を冷却させることができる適正量の洗濯水のみを貯水され、残りは排出される。
【００２７】
上記のようにして、洗濯水の排水及び脱水作動が完了すれば、前記方向制御バルブ２９を制御し、排水ホース１９側は閉め、空気循環ダクト２５側は開放させて衣類乾燥作動を実施する。
この時、送風機３０、ヒーター３１及び圧縮機３５を同時に作動させると、送風機３０の作動によって内槽２１の内部にヒーター３１によって加熱された空気が流入され、前記内槽２１で衣類を乾燥させた高温多湿な空気は排水ホース１９ａを通じて空気循環ダクト２５内に流入される。
【００２８】
前記空気循環ダクト２５内に流入された高温多湿な空気は蒸発器３３を通過することになるが、このとき、空気中に含まれた水分は相対的に温度が低い蒸発器３３と接触しながら凝結され、蒸発器３３を通過した除湿された空気はヒーター３１を通過しながら加熱され、再び内槽２１の内部に供給されて衣類を乾燥させるようになる。
ここで、前記蒸発器３３で除湿された水分は空気循環ダクト２５下側に連結された排水管２７を通じて外部に排出される。
【００２９】
図３は本発明の第２実施の形態に係る衣類乾燥機を示した縦断面図である。
本発明に係る衣類乾燥機は、図３に図示されたように、ケース５１内部に衣類を乾燥させることができるように円筒構造を有するドラム５３が備えられる。前記ドラム５３の上部は衣類を入れるか、引き出すことができるように開放されるように形成され、底面には多数の排出口５３ａが形成される。
前記ドラム５３の上部は上部カバー５４が結合され、下側には下部カバー５５が結合される。前記上部カバー５４と下部カバー５５は前記ケース５１内に固定された固定部材５６によって固定され、前記ドラム５３を回転できるように支持する。
【００３０】
前記ケース５１と前記上部カバー５４は前記ドラム５３内に衣類を入れるか、引き出すことができるように開放された構造からなり、前記ケース５１にはドア５２が設置され、前記ドア５２には前記上部カバー５４の開放部を密閉させることができるように密閉部材５２ａが設けられる。
前記下部カバー５５の下側には、前記ドラム５３を回転させることができるように駆動モータ５７が設置され、前記駆動モータ５７の軸は前記下部カバー５５を通じて前記ドラム５３に連結される。
【００３１】
前記下部カバー５５と上部カバー５４には、前記ドラム５３内に加熱空気を循環させながらドラム５３内に投入された衣類を乾燥させることができるように空気循環ダクト６０が備えられる。
即ち、前記下部カバー５５には、排出ポート５５ａが、前記上部カバー５４には吸入ポート５４ａがそれぞれ形成され、前記空気循環ダクト６０の両端部は前記排出ポート５５ａと吸入ポート５４ａにそれぞれ連結される。
【００３２】
前記空気循環ダクト６０上には、ドラム５３内の空気を強制循環させることができるように送風機６３が設けられ、循環空気を加熱するヒーター６１が設けられる。
また、前記空気循環ダクト６０上には、前記ドラム５３内で衣類を乾燥させた空気を除湿できるように蒸発器６５が設けられる。
もちろん、前記蒸発器６５は前記ケース５１内に備えられた圧縮機６６、凝縮器６７、毛細管６８に連なる冷凍サイクル回路に含まれる。
【００３３】
前記凝縮器６７は、水冷方式で冷却が行なわれるように冷却水タンク７１内に位置される。前記冷却水タンク７１は上側に冷却水を供給できる給水ホース７２が連結され、下側には冷却水を排出できるように排水ホース７４が連結される。そして、前記給水ホース７２と排水ホース７４には開閉バルブ７８、７９がそれぞれ設けられる。
また、前記冷却水タンク７１には所定以上の水が貯水されると排出できるように前記排水ホース７４と連結されるオーバーフロー管７３が備えられる。
もちろん、前記冷却水タンク７１に水位感知センサーを設置して前記開閉バルブ７８、７９の開閉状態を調節することによって、適切な量の水位が維持されるように構成することができる。
【００３４】
前記空気循環ダクト６０の下段部には、前記ドラム５３内で前記蒸発器６５から排出される凝結水を排出できるようにトレー７５及び排水管７６が備えられ、前記排水管７６は前記冷却水タンク７１に連結されることが望ましい。
一方、冷却水タンク７１には蒸発器６５から圧縮機６６に吸入される冷媒ライン６９中の一部区間が通過しながら冷却水と熱交換できるようになされる。
前記したような本発明の第２実施の形態に係る衣類乾燥機の動作を説明すれば次の通りである。
【００３５】
ドラム５３の内部に洗濯機等により脱水され、湿気ある状態の衣類を投入した後、送風機６３、ヒーター６１及び圧縮機６６を作動させると、ドラム５３の内部にはヒーター６１によって加熱された空気が供給され、加熱された高温の空気は衣類と接触しながら衣類を乾燥させて高温多湿な状態になって下部カバー５５の排出ポート５５ａを通じて空気循環ダクト６０内に流動するようなる。
【００３６】
このように空気循環ダクト６０内に流動する高温多湿な空気は、蒸発器６５と接触されて蒸発器６５表面に凝結され、蒸発器６５を通過した空気はヒーター６１によって加熱されて比較的高温乾燥した状態で乾燥ドラム５３の内部に提供される過程を繰り返しながら衣類の乾燥を行なう。
一方、蒸発器６５の表面から落下した凝結水はトレー７５によって集水され、排水管７６を通じて冷却水タンク７１に流入される。
【００３７】
前述及び図示した実施の形態では、内槽またはドラムがケースの垂直方向に沿って配置された回転軸を中心に回転可能に構成された洗濯乾燥機及び衣類乾燥機の場合を説明しているが、内槽またはドラムの回転軸がケースの水平方向または水平方向に対して所定の傾斜角を有するように配置された洗濯乾燥機及び衣類乾燥機の場合にも本発明が適用されうる。
また、前述及び図示した実施の形態では、加熱手段が電気ヒーターで構成された場合を説明しているが、加熱手段としてガスバーナーを用いる洗濯乾燥機及び衣類乾燥機にも本発明が適用されうることは当然であろう。
【００３８】
【発明の効果】
前記したような本発明に係る洗濯乾燥機及び衣類乾燥機は、冷凍サイクルを利用して空気を除湿した状態で加熱して衣類を乾燥させることができるように構成されているため、除湿力を向上させ、衣類乾燥時間を短縮させ、エネルギー消費を減らすことができるという効果がある。
また、本発明に係る洗濯乾燥機及び衣類乾燥機は、水冷方式で凝縮器を冷却できるように構成されているため、蒸発器の除湿効率をさらに向上させると共に、空冷式に比べて冷凍サイクルの効率を高めることが出来、全体的な冷凍サイクル装置を一層コンパクトに設計、構成できるという効果がある。
【図面の簡単な説明】
【図１】本発明の第１実施の形態に係る衣類洗濯乾燥機を示した縦断面図である。
【図２】図１の衣類洗濯乾燥機の構造を概略的に示した図面である。
【図３】本発明の第２実施の形態に係る衣類乾燥機を表した縦断面図である。
【図４】従来技術の衣類洗濯乾燥機を示した縦断面である。
【図５】図４の洗濯乾燥機の空気流動構造を概略的に示した図面である。
【符号の説明】
１１…ケース
１３…ドア
１５…外槽
１７…駆動モータ
１９…排水ホース
２１…内槽
２３…パルセータ
２５…空気循環ダクト
２９…方向制御バルブ
３０…送風機
３１…ヒーター
３３…蒸発器
３５…圧縮機
３６…冷媒ライン
３７…凝縮器
３９…冷却水タンク
４０…開閉バルブ
【図１】
0004108984.tif 000002
【図２】
0004108984.tif 000003
【図３】
0004108984.tif 000004
【図４】
0004108984.tif 000005
【図５】
0004108984.tif 000006